【手続補正書】
【提出日】令和3年11月2日(2021.11.2)
【手続補正１】
【補正対象書類名】特許請求の範囲
【補正対象項目名】全文
【補正方法】変更
【補正の内容】
【特許請求の範囲】
【請求項１】
ロータの回転運動を、雄ネジ部材と雌ネジ部材とのネジ螺合により直線運動に変換し、この直線運動に基づいて弁本体内に収容されたステンレス製の弁体を軸方向に移動させる電動弁であって、
弁閉状態において前記弁体を着座させる着座部および、前記弁体が挿入される弁ポートを有するステンレス製の弁座を有し、
前記弁ポートは、前記電動弁の中心軸と平行な内周面を有し、
前記弁体は、
弁閉状態において前記着座部と当接する第１テーパと、
前記第１テーパよりも先方に位置し、弁閉状態において前記内周面に囲繞されるように位置する第２テーパとを備え、
前記着座部に前記第１テーパを当接させた状態において、前記弁ポートと前記第２テーパとの間に形成されるクリアランスの幅よりも広い幅の空間が前記着座部と前記クリアランスとの間に形成され、
前記弁ポートの内周面と前記第２テーパとの間隙が、前記弁ポートの内周面と前記弁体との間隙において最小となることを特徴とする電動弁。
【請求項２】
前記弁体は、前記第１テーパよりも前記ロータ側の位置に円柱棒部が設けられ、該円柱棒部の軸方向の長さが、該円柱棒部の外径よりも大きいことを特徴とする請求項１に記載の電動弁。
【請求項３】
前記弁体は、前記第１テーパよりも、前記第２テーパとは反対側に、テーパが設けられていないことを特徴とする請求項１または２に記載の電動弁。
【請求項４】
前記弁本体の内部に、弁室を備えることを特徴とする請求項１から３のいずれかに記載の電動弁。
【請求項５】
前記弁本体が、前記弁室に連通する第１の管継手を備えることを特徴とする請求項４に記載の電動弁。
【請求項６】
前記第１の管継手の内面下端が、弁閉状態において前記第１テーパと前記着座部とが当接する位置よりも高い位置にあることを特徴とする請求項５に記載の電動弁。
【請求項７】
前記第１の管継手が、ステンレス製または銅製であることを特徴とする請求項５または６に記載の電動弁。
【請求項８】
前記第１の管継手の前記弁室側の端部が、前記弁室内に突出していることを特徴とする請求項５から７のいずれかに記載の電動弁。
【請求項９】
前記弁座が、前記弁ポートを介して前記弁室に連通する第２の管継手を備え、
前記第２の管継手が、ステンレス製または銅製であることを特徴とする請求項４から８のいずれかに記載の電動弁。
【請求項１０】
前記弁室が、前記弁体の中心軸に対して平行な内壁を有することを特徴とする請求項４から９のいずれかに記載の電動弁。
【請求項１１】
前記弁室が、前記ロータ側に開口を有するとともに、前記弁室の底部側から立設する前記内壁を有し、
前記内壁が、前記底部側から前記開口にかけて、前記弁体の中心軸に対して平行であることを特徴とする請求項１０に記載の電動弁。
【請求項１２】
前記弁ポートの前記ロータ側には、弁体側から後退した後退領域が形成され、
前記後退領域は、前記ロータ側に向かって広がる面取りであることを特徴とする請求項１から１１のいずれかに記載の電動弁。
【請求項１３】
前記弁座は、前記弁ポートの前記着座部とは反対側に、前記着座部とは離れる方向に広がる傾斜面を有していることを特徴とする請求項１から１２のいずれかに記載の電動弁。
【請求項１４】
前記傾斜面は、前記弁体の中心軸に対する傾斜角が４５°以上であることを特徴とする請求項１３に記載の電動弁。
【請求項１５】
前記弁座は、前記弁ポートの前記着座部とは反対側に、前記着座部とは離れる方向に広がる傾斜面を有し、
前記傾斜面は、前記弁体の中心軸に対する傾斜角が、前記後退領域の面取り角度よりも大きいことを特徴とする請求項１２に記載の電動弁。
【請求項１６】
前記傾斜面の最も大きい内径が、前記弁体の円柱棒部の外径よりも大きいことを特徴とする請求項１３から１５のいずれかに記載の電動弁。
【請求項１７】
前記弁本体に対して固定される雌ネジ部材と、前記ロータと一体的に軸方向に移動する雄ネジ部材と、からなるネジ送り機構をさらに備えることを特徴とする請求項１から１６のいずれかに記載の電動弁。
【請求項１８】
前記弁体は、
前記第２テーパよりも先方に位置する第３テーパをさらに備えるとともに、
前記第２テーパが、前記第１テーパと連続して形成されることを特徴とする請求項１から１７のいずれかに記載の電動弁。
【請求項１９】
前記弁体の中心軸に対する前記第３テーパのテーパ面のテーパ角は、前記弁体の中心軸に対する前記第１テーパのテーパ面のテーパ角よりも小さいことを特徴とする請求項１８に記載の電動弁。
【手続補正２】
【補正対象書類名】明細書
【補正対象項目名】００１４
【補正方法】変更
【補正の内容】
【００１４】
本発明の電動弁は、
ロータの回転運動を、雄ネジ部材と雌ネジ部材とのネジ螺合により直線運動に変換し、この直線運動に基づいて弁本体内に収容されたステンレス製の弁体を軸方向に移動させる電動弁であって、
弁閉状態において前記弁体を着座させる着座部および、前記弁体が挿入される弁ポートを有するステンレス製の弁座を有し、
前記弁ポートは、前記電動弁の中心軸と平行な内周面を有し、
前記弁体は、
弁閉状態において前記着座部と当接する第１テーパと、
前記第１テーパよりも先方に位置し、弁閉状態において前記内周面に囲繞されるように位置する第２テーパとを備え、
前記着座部に前記第１テーパを当接させた状態において、前記弁ポートと前記第２テーパとの間に形成されるクリアランスの幅よりも広い幅の空間が前記着座部と前記クリアランスとの間に形成され、
前記弁ポートの内周面と前記第２テーパとの間隙が、前記弁ポートの内周面と前記弁体との間隙において最小となることを特徴とする。
【手続補正３】
【補正対象書類名】明細書
【補正対象項目名】００１６
【補正方法】変更
【補正の内容】
【００１６】
また、本発明の電動弁は、
前記弁体は、前記第１テーパよりも前記ロータ側の位置に円柱棒部が設けられ、該円柱棒部の軸方向の長さが、該円柱棒部の外径よりも大きいことを特徴とする。
また、本発明の電動弁は、
前記弁体は、前記第１テーパよりも、前記第２テーパとは反対側に、テーパが設けられていないことを特徴とする。
【手続補正４】
【補正対象書類名】明細書
【補正対象項目名】００１７
【補正方法】変更
【補正の内容】
【００１７】
また、本発明の電動弁は、
前記弁本体の内部に、弁室を備えることを特徴とする。
また、本発明の電動弁は、
前記弁本体が、前記弁室に連通する第１の管継手を備えることを特徴とする。
【手続補正５】
【補正対象書類名】明細書
【補正対象項目名】００１８
【補正方法】変更
【補正の内容】
【００１８】
また、本発明の電動弁は、
前記第１の管継手の内面下端が、弁閉状態において前記第１テーパと前記着座部とが当接する位置よりも高い位置にあることを特徴とする。
また、本発明の電動弁は、
前記第１の管継手が、ステンレス製または銅製であることを特徴とする。
【手続補正６】
【補正対象書類名】明細書
【補正対象項目名】００１９
【補正方法】変更
【補正の内容】
【００１９】
また、本発明の電動弁は、
前記第１の管継手の前記弁室側の端部が、前記弁室内に突出していることを特徴とする。
また、本発明の電動弁は、
前記弁座が、前記弁ポートを介して前記弁室に連通する第２の管継手を備え、
前記第２の管継手が、ステンレス製または銅製であることを特徴とする。
【手続補正７】
【補正対象書類名】明細書
【補正対象項目名】００２０
【補正方法】変更
【補正の内容】
【００２０】
また、本発明の電動弁は、
前記弁室が、前記弁体の中心軸に対して平行な内壁を有することを特徴とする。
また、本発明の電動弁は、
前記弁室が、前記ロータ側に開口を有するとともに、前記弁室の底部側から立設する前記内壁を有し、
前記内壁が、前記底部側から前記開口にかけて、前記弁体の中心軸に対して平行であることを特徴とする。
また、本発明の電動弁は、
前記弁ポートの前記ロータ側には、弁体側から後退した後退領域が形成され、
前記後退領域は、前記ロータ側に向かって広がる面取りであることを特徴とする。
【手続補正８】
【補正対象書類名】明細書
【補正対象項目名】００２１
【補正方法】変更
【補正の内容】
【００２１】
また、本発明の電動弁は、
前記弁座は、前記弁ポートの前記着座部とは反対側に、前記着座部とは離れる方向に広がる傾斜面を有していることを特徴とする。
また、本発明の電動弁は、
前記傾斜面は、前記弁体の中心軸に対する傾斜角が４５°以上であることを特徴とする。
【手続補正９】
【補正対象書類名】明細書
【補正対象項目名】００２２
【補正方法】変更
【補正の内容】
【００２２】
また、本発明の電動弁は、
前記弁座は、前記弁ポートの前記着座部とは反対側に、前記着座部とは離れる方向に広がる傾斜面を有し、
前記傾斜面は、前記弁体の中心軸に対する傾斜角が、前記後退領域の面取り角度よりも大きいことを特徴とする。
【手続補正１０】
【補正対象書類名】明細書
【補正対象項目名】００２３
【補正方法】変更
【補正の内容】
【００２３】
また、本発明の電動弁は、
前記傾斜面の最も大きい内径が、前記弁体の円柱棒部の外径よりも大きいことを特徴とする。
また、本発明の電動弁は、
前記弁本体に対して固定される雌ネジ部材と、前記ロータと一体的に軸方向に移動する雄ネジ部材と、からなるネジ送り機構をさらに備えることを特徴とする。
【手続補正１１】
【補正対象書類名】明細書
【補正対象項目名】００２４
【補正方法】変更
【補正の内容】
【００２４】
また、本発明の電動弁は、
前記弁体は、
前記第２テーパよりも先方に位置する第３テーパをさらに備えるとともに、
前記第２テーパが、前記第１テーパと連続して形成されることを特徴とする。
【手続補正１２】
【補正対象書類名】明細書
【補正対象項目名】００２５
【補正方法】変更
【補正の内容】
【００２５】
また、本発明の電動弁は、
前記弁体の中心軸に対する前記第３テーパのテーパ面のテーパ角は、前記弁体の中心軸に対する前記第１テーパのテーパ面のテーパ角よりも小さいことを特徴とする。
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】